【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
画像から少なくとも１つの主オブジェクトを抽出するオブジェクト抽出手段と、
前記主オブジェクトに付随する従オブジェクトを生成する従オブジェクト生成手段と、
前記主オブジェクトに対して画像処理を施す主オブジェクト処理手段と、
前記従オブジェクトに対して画像処理を施す従オブジェクト処理手段と、
前記主オブジェクトを符号化する主オブジェクト符号化手段とを備え、
前記従オブジェクト生成手段は、前記符号化された主オブジェクトに基づいて従オブジェクトを生成することを特徴とする画像処理装置。
【請求項２】
前記主オブジェクト符号化手段は、MPEG-4符号化方式による符号化を行なうことを特徴とする請求項１に記載の画像処理装置。
【請求項３】
画像からオブジェクトを抽出して符号化するオブジェクト符号化装置と、
背景画像を入力して符号化する背景符号化装置と、
前記オブジェクト符号化装置により符号化されたオブジェクトと前記背景符号化装置により符号化された背景画像を入力して復号し、合成する画像合成装置と、からなる画像処理システムであって、
前記オブジェクト符号化装置は、
画像から少なくとも１つのオブジェクトを抽出する抽出手段と、
前記抽出されたオブジェクトのうち、主たるオブジェクトを符号化する主オブジェクト符号化手段と、を有し、
前記画像合成装置は、
前記符号化された主オブジェクトに基づいてその付随する従オブジェクトを生成する従オブジェクト生成手段と、
前記符号化された主オブジェクトと前記生成された従オブジェクトとを前記背景画像と合成する画像合成手段と、を有し、
前記従オブジェクト生成手段は、前記符号化された主オブジェクトの形状情報に基づいて従オブジェクトの形状情報を生成することを特徴とする画像処理システム。
【請求項４】
画像からオブジェクトを抽出して符号化するオブジェクト符号化装置と、
背景画像を入力して符号化する背景符号化装置と、
前記オブジェクト符号化装置により符号化されたオブジェクトと前記背景符号化装置により符号化された背景画像を入力して復号し、合成する画像合成装置と、からなる画像処理システムであって、
前記オブジェクト符号化装置は、
画像から少なくとも１つのオブジェクトを抽出する抽出手段と、
前記抽出されたオブジェクトのうち、主たるオブジェクトを符号化する主オブジェクト符号化手段と、を有し、
前記画像合成装置は、
前記符号化された主オブジェクトに基づいてその付随する従オブジェクトを生成する従オブジェクト生成手段と、
前記符号化された主オブジェクトと前記生成された従オブジェクトとを前記背景画像と合成する画像合成手段と、
画像合成に関する指示を行なう指示手段と、を有し、
前記画像合成手段は、該指示に応じて画像合成を行なうことを特徴とする画像処理システム。
【請求項５】
前記指示手段は、前記主オブジェクト及び従オブジェクトを合成する際の形状及び強度の少なくともいずれかを指示することを特徴とする請求項４記載の画像処理システム。
【請求項６】
画像から少なくとも１つの主オブジェクトを抽出するオブジェクト抽出工程と、
前記主オブジェクトに付随する従オブジェクトを生成する従オブジェクト生成工程と、
前記主オブジェクトに対して画像処理を施す主オブジェクト処理工程と、
前記従オブジェクトに対して画像処理を施す従オブジェクト処理工程と、
前記主オブジェクトを符号化する主オブジェクト符号化工程とを備え、
前記従オブジェクト生成工程では、前記従オブジェクトが前記符号化された主オブジェクトの形状情報に基づいて生成されることを特徴とする画像処理方法。
【請求項７】
画像からオブジェクトを抽出して符号化するオブジェクト符号化工程と、
背景画像を入力して符号化する背景符号化工程と、
前記オブジェクト符号化工程において符号化されたオブジェクトと前記背景符号化工程において符号化された背景画像を入力して復号し、合成する画像合成工程と
を備える画像処理方法であって、
前記オブジェクト符号化工程は、
画像から少なくとも１つのオブジェクトを抽出する抽出工程と、
前記抽出されたオブジェクトのうち、主たるオブジェクトを符号化する主オブジェクト符号化工程と、を有し、
前記画像合成工程は、
前記符号化された主オブジェクトに基づいてその付随する従オブジェクトを生成する従オブジェクト生成工程と、
前記符号化された主オブジェクトと前記生成された従オブジェクトとを前記背景画像と合成する画像合成工程と、を有し、
前記従オブジェクト生成工程では、前記符号化された主オブジェクトの形状情報に基づいて従オブジェクトの形状情報を生成することを特徴とする画像処理方法。
【請求項８】
画像からオブジェクトを抽出して符号化するオブジェクト符号化工程と、
背景画像を入力して符号化する背景符号化工程と、
前記オブジェクト符号化工程において符号化されたオブジェクトと前記背景符号化工程において符号化された背景画像を入力して復号し、合成する画像合成工程と
を備える画像処理方法であって、
前記オブジェクト符号化工程は、
画像から少なくとも１つのオブジェクトを抽出する抽出工程と、
前記抽出されたオブジェクトのうち、主たるオブジェクトを符号化する主オブジェクト符号化工程と、を有し、
前記画像合成工程は、
前記符号化された主オブジェクトに基づいてその付随する従オブジェクトを生成する従オブジェクト生成工程と、
前記符号化された主オブジェクトと前記生成された従オブジェクトとを前記背景画像と合成する画像合成工程と、
画像合成に関する指示を行なう指示工程と、を有し、
前記画像合成工程では、該指示に応じて画像合成が行われることを特徴とする画像処理方法。
【手続補正２】
【補正対象書類名】明細書
【補正対象項目名】００１４
【補正方法】変更
【補正の内容】
【００１４】
即ち、画像から少なくとも１つの主オブジェクトを抽出するオブジェクト抽出手段と、前記主オブジェクトに付随する従オブジェクトを生成する従オブジェクト生成手段と、前記主オブジェクトに対して画像処理を施す主オブジェクト処理手段と、前記従オブジェクトに対して画像処理を施す従オブジェクト処理手段と、前記主オブジェクトを符号化する主オブジェクト符号化手段とを備え、前記従オブジェクト生成手段は、前記符号化された主オブジェクトに基づいて従オブジェクトを生成することを特徴とする。


【手続補正３】
【補正対象書類名】明細書
【補正対象項目名】００１５
【補正方法】変更
【補正の内容】
【００１５】
また、画像からオブジェクトを抽出して符号化するオブジェクト符号化装置と、背景画像を入力して符号化する背景符号化装置と、前記オブジェクト符号化装置により符号化されたオブジェクトと前記背景符号化装置により符号化された背景画像を入力して復号し、合成する画像合成装置と、からなる画像処理システムであって、前記オブジェクト符号化装置は、画像から少なくとも１つのオブジェクトを抽出する抽出手段と、前記抽出されたオブジェクトのうち、主たるオブジェクトを符号化する主オブジェクト符号化手段と、を有し、前記画像合成装置は、前記符号化された主オブジェクトに基づいてその付随する従オブジェクトを生成する従オブジェクト生成手段と、前記符号化された主オブジェクトと前記生成された従オブジェクトとを前記背景画像と合成する画像合成手段と、を有し、前記従オブジェクト生成手段は、前記符号化された主オブジェクトの形状情報に基づいて従オブジェクトの形状情報を生成することことを特徴とする。


【手続補正４】
【補正対象書類名】明細書
【補正対象項目名】００１６
【補正方法】変更
【補正の内容】
【００１６】
また、画像からオブジェクトを抽出して符号化するオブジェクト符号化装置と、背景画像を入力して符号化する背景符号化装置と、前記オブジェクト符号化装置により符号化されたオブジェクトと前記背景符号化装置により符号化された背景画像を入力して復号し、合成する画像合成装置と、からなる画像処理システムであって、前記オブジェクト符号化装置は、画像から少なくとも１つのオブジェクトを抽出する抽出手段と、前記抽出されたオブジェクトのうち、主たるオブジェクトを符号化する主オブジェクト符号化手段と、を有し、前記画像合成装置は、前記符号化された主オブジェクトに基づいてその付随する従オブジェクトを生成する従オブジェクト生成手段と、前記符号化された主オブジェクトと前記生成された従オブジェクトとを前記背景画像と合成する画像合成手段と、画像合成に関する指示を行なう指示手段と、を有し、前記画像合成手段は、該指示に応じて画像合成を行なうことを特徴とする。